(57)【要約】      （修正有）【課題】文房具であるボールペンや小刀など固い長尺形の物品を包装する袋において、大人は開封することが出来るが、幼児等の子供が開封し難い包装袋を提供することにある。【解決手段】包装袋１のシール部に包装袋１を引き裂くためのノッチ８を設け、引き裂く部分にはミシン目８ａを入れてガイドとして直線状に引き裂く様にし、引き裂いた先に引き裂き停止線８ｃを設けて引き裂きを止め、次に引き裂き停止線８ｃを新たなノッチとして用いて包装袋１の収容部５に引き裂くことにより開口部が形成され物品を取り出すことを特徴とする包装袋。【選択図】図１
2012192973.tif 000002
【特許請求の範囲】
【請求項１】
シール部と収容部を有する包装袋であってシール部の一端にノッチを有し、該ノッチにより誘導される引き裂き線と、該引き裂き線と交差する引き裂き停止線とを有することを特徴とする包装袋。
【請求項２】
前記引き裂き線はミシン目であることを特徴とする請求項１記載の包装袋。
【請求項３】
前記引き裂き停止線は引き裂き開始手段の端緒を兼ねることを特徴とする請求項１または２記載の包装袋。
【請求項４】
前記包装袋の形状は、縦長の矩形形状であることを特徴とする請求項１，２または３記載の包装袋。
【請求項５】
前記包装袋のシール部には該包装袋を吊り下げるための孔を有することを特徴とする請求項１，２，３または４記載の包装袋。
【発明の詳細な説明】
【技術分野】
【０００１】  本発明は、ボールペンや小刀など主に長尺物の文房具などを包装するプラスチックフィルムによる包装袋、さらに詳しくいえば、幼児等が誤って開封し小刀などで怪我をすることを防止する機能を考慮した包装袋に関する。
【背景技術】
【０００２】  透明なプラスチックの包装フィルム容器に入れて商品が販売されている。
商品の形状，大きさは千差万物で、例えば、文房具などのボールペンや小刀などの形状が長くて固いもの、多数の小さいものが集まった商品，食品、液体状のもの、粉状のものなどがある。
各包装容器では購入者が商品を購入して開封する場合、開封がより簡単であるように種々の開封方法が講じられている。
例えば、包装フィルムの上部や側部に三角形状の溝を設け、容器の上部と下部を摘んで引き裂くことにより容器の上部を切り裂いて内部の商品を取り出すもの、切り裂く部分にミシン目などを入れて切り裂きやすいような手段を講じているもの、２枚のフィルムを両端縁部でシールして袋状にした容器の一方のフィルムを手前側に切り裂いて取り出し口を作るものが存在する。【０００３】  その開封に工夫を凝らしたものが多数提案されている。
特許文献１は開封のための三角溝を包装袋の側面に設けたものである。これは、基材層とシーラント層を積層したシート材２枚を、シーラント層を内面側にして重ね合わせ、シート材の縁部同士を接着させて密閉袋形態に形成し、開封側となる一辺付近を、一側辺の接着部を始点として引き裂くことにより開封されるようにしている。途中に引き裂き方向と交差するように引き裂き停止線を形設することにより引き裂き伝播を確実に止め、引き裂き片部を袋面に確実に残すことを目的としたものである。【０００４】  特許文献２は縦シール部又は横シール部に設ける開封用ノッチを、その一端がシール部の外側縁より外方に開封されないように、シール部の範囲内に設けたことを特徴とする包装袋であり、子供等がこのノッチを用いて簡単に包装パックを開封することができないように工夫した誤開封防止型包装パックを提供するものである。
【先行技術文献】
【特許文献】
【０００５】
【特許文献１】特開２００７−２７６８２３号公報
【特許文献２】実用新案登録第３０７３０４９号公報
【発明の概要】
【発明が解決しようとする課題】
【０００６】  ところで、ボールペンや小刀など固くて長尺形の文房具などを包装する包装袋において子供が開け難く大人が開け易い包装袋を対象とした場合、上述した特許文献１では１回の動作で開封してしまうので子供が開け難いことにはならない。また特許文献２ではシール部に設けられた小さなノッチの位置に合わせて包装袋を折らなければいけないので、ノッチが見つけにくく、大人が開け易い開封構造であるとは言えない。
そこで、比較的長い商品の包装を前提として開封をする場合、より簡単で大人が確実に開封でき、幼児等の子供がより開封しづらいものが要請されている。【０００７】  本発明の目的は、例えば文房具であるボールペンや小刀など固い長尺形の物品を包装する袋において、包装袋の一辺に設けられたシール部の外縁側にあるノッチより引き裂き線に沿って包装袋のシール部を引き裂き停止線まで引き裂き、次に引き裂き停止線を新たなノッチとして使用してフィルムを物品収容部方向に引き裂くという２度の作業で開口部を作り、物品を取り出すことができる包装袋を提供することにある。
【課題を解決するための手段】
【０００８】  前記目的を達成するために、本発明による請求項１記載の包装袋は、包装袋のシール部にフィルムを引き裂くためのノッチを設け、シール部に引き裂き停止線を設け、ノッチから引き裂き停止線までの交差する位置に引き裂き線を設けたことを特徴とする包装袋である。
本発明による請求項２記載の包装袋は、請求項１記載の発明において前記引き裂き線にミシン目を用いることを特徴とする包装袋である。
本発明による請求項３記載の包装袋は、請求項１または２記載の発明において前記包装袋の引き裂き停止線が開封時に引き裂き開始の手段の端緒としてのノッチを兼ねることを特徴とする包装袋である。
本発明の請求項４記載の包装袋は、請求項１，２または３記載の発明において縦長の矩形形状であることを特徴とする包装袋である。
本発明の請求項５記載の包装袋は、請求項１，２，３または４記載の発明においてシール部に該包装袋を吊り下げるための孔を有することを特徴とする包装袋である。
【発明の効果】
【０００９】  上記構成によれば、本発明による包装袋に入った商品を取り出すため開封する場合、手で包装袋をノッチから引き裂き停止線まで引き裂き、次に引き裂き停止線から収容部に引き裂くことで開口部が形成され物品を取り出すことが出来る。物品を取り出すために２度にわたって包装袋を引き裂くという行為が必要となるため、幼児等の子供には容易に物品を取り出すことが出来ない。しかし大人は包装袋に印刷された開封方法を読んで容易に開封することが出来、且つシール部には直線状に綺麗に引き裂く様にミシン目が入れられている。なお、包装袋を形成する包装用のフィルム構造は、延伸ポリプロピレン（ＯＰＰ）基材の厚さを略２０μｍ，無延伸ポリプロピレン（ＣＰＰ）基材の厚さを略３０μｍとした場合が無理なく良好に開封できるものである。ＣＰＰ基材の厚さが３０μｍを超えると、引き裂きに抵抗感が発生し、開封する際の手の力をより大きめにしないといけない。また、３０μｍ未満の例えば２０μｍにすると加える力は少なくて済むが一寸した力で破けやすくなる。したがって、ＯＰＰの厚さ２０μｍ，ＣＰＰ基材の厚さ３０μｍが、開封をするフィルム構造には適している。
【図面の簡単な説明】
【００１０】
【図１】本発明による包装袋の実施の形態を示す正面図である。
【図２】本発明による包装袋に物品としてボールペンを収容した状態を示す図である。
【図３】本発明による包装袋の開封方法を説明するための部分図である。
【図４】包装袋の構造を説明するための部分図である。
【図５】包装袋を形成する２枚のフィルムをヒートシールで接合した構造を説明するための部分図である。
【発明を実施するための形態】
【００１１】  以下、図面等を参照して本発明を詳細に説明する。
なお説明にあたってはＯＰＰとＣＰＰを貼り合わせた構成を用いる。
図１は、本発明による包装袋の実施の形態を示す正面図である。
包装袋１は長方形の透明フィルムで形成されており、横寸法および縦寸法は例えば５０ｍｍ，２２５ｍｍである。ボールペンや小刀などの物品の包装に適した形状および大きさとなっている。
表包装フィルム１ａと裏包装フィルム１ｂが、頭部ヒートシール部２と側ヒートシール部３，４との接合により袋状となり、内部に収容部５が形成されている。
【００１２】  頭部ヒートシール部２のヒートシール領域の縦方向の寸法および側ヒートシール部３，４の幅は、例えばそれぞれ３５ｍｍ，５ｍｍである。頭部ヒートシール部２の略中央に陳列棚の鍵型突起などに係止するための孔７が形成されている。
物品を物品挿入開口６から収容部５内に入れ、物品挿入開口６をヒートシールすることにより物品を包装することができる。
【００１３】  頭部ヒートシール部２の収容部５の境界２ａより上方にノッチ８が設けられている。ノッチ８はＶ型や五角の他、切れ目だけがあっても良い。ノッチ８を用いて包装袋を短辺方向に引き裂く。さらに引き裂き線の位置に真っ直ぐに引き裂くためのガイドとなるミシン目８ａが設けられている。またもし引き裂く際に真っ直ぐではなく斜めに切れても、その引き裂き方向がミシン目８ａに戻る様に、ハの字型ミシン目８ｂがミシン目８ａの両側にあり、このハの字型ミシン目８ｂが更なるガイドの役目となって真っ直ぐ引き裂かれる。引き裂かれた先には引き裂き停止線８ｃがあり、この引き裂き停止線８ｃで引き裂きが止まる様になっている。引き裂き停止線８ｃは包装袋の表包装フィルム１ａから裏包装フィルム１ｂまでを貫通する切れ目であり、その長さは略１０ｍｍである。なお引き裂き停止線８ｃはミシン目８ａのほぼ中央の位置に形成されている。なおミシン目８ａの繰り返し形成される結合部と切れ目の寸法は例えば、それぞれ０．５ｍｍ，０．５ｍｍである。
ミシン目８ａ及び引き裂き停止線８ｃの付近には開封方法を分かりやすく表示した開封方法表示矢印９ａ及び９ｂが存在する。
【００１４】  図２に本発明による包装袋に物品としてボールペンを収容した状態を示す。
クリップ２２を有するボールペン２０が収容部５に収容されている。ボールペン２０を挿入した後、ヒートシールを行い底ヒートシール部２７を形成して密封する。
【００１５】  図３に本発明による包装袋を開封する方法を示す。
点線で示す部分が開封前の状態である。まず一方の手で袋上部２４ａを掴み、もう一方の手で袋上部２４ｃを掴んで、袋上部２４ａを包装袋の短辺方向に引き裂く。これは図３の矢印Ａの方向となる。引き裂かれたフィルムは引き裂き停止線８ｃで止まり、この引き裂き停止線８ｃが新たな長辺方向へ引き裂くためのノッチの役目も果たす。この時点ではミシン目８ａをガイドとして引き裂かれた部分はヒートシールされた部分のため開口部は形成されない。ここで袋上部２４ａを持っていた手を袋上部２４ｂに持ち変えて、袋上部２４ｃを持っていた手で包装袋を袋の長辺方向に引き裂く。これは図３の矢印Ｂの方向となる。長辺方向に引き裂かれたフィルム包装袋が頭部ヒートシール部２４から境界２４ｄを超えて収容部２６に達して開口部２８が形成される。開口部２８の大きさは袋上部２４ｃを引き裂く距離により調整することが出来る。図３の場合、開口部２８がボールペン２０を取り出せる適度な大きさになった時点で引き裂きを止め、ボールペン２０を取り出す。
この様な複雑な開封を行うには開封方法の表示等が必要となり、表示を読んで理解出来る大人には開封しやすい包装袋であるが、表示を読んで理解出来ない幼児等の子供には容易に開封することが出来ない。
【００１６】  図４は本発明による包装袋の構造を説明するための部分図である。
包装袋１を構成する表包装フィルム１ａおよび裏包装フィルム１ｂの積層構造は、２０μｍ厚のＯＰＰ１０と、文字，図形，写真などの印刷層１２と、接着剤層１３と、３０μｍ厚のＣＰＰ１１の各層より構成されている。ＯＰＰ１０とＣＰＰ１１の厚さは開封における切りやすさ，粘りの程度を考慮してそれぞれ決められる。例えば、ＯＰＰ１０の厚さを図４に示すように２０μｍにし、ＣＰＰ１１の厚さを２０μｍ〜４０μｍにした場合、ＣＰＰ１１の厚さ２０μｍでは粘りが比較的無く、開封のとき弱い力でミシン目が切り離されやすく、反対にＣＰＰ１１の厚さ４０μｍでは粘りが比較的有り、簡単にミシン目を切り離すことができないという特性がある。本発明による実施の形態で示すＯＰＰ２０μｍ，ＣＰＰ３０μｍが最も開封に適した構造である。
【００１７】  図５は包装袋を形成する２枚のフィルムをヒートシールで接合した構造を説明するための部分図である。
図５の構造の表包装フィルム１ａと裏包装フィルム１ｂを接合する場合、表包装フィルム１ａのＣＰＰ１１ａと裏包装フィルム１ｂのＣＰＰ１１ｂをヒートシールする領域に熱を加えて溶融して接合する。ヒートシール１４が表包装フィルム１ａのＣＰＰ１１ａと裏包装フィルム１ｂのＣＰＰ１１ｂとの間に形成され、確実に接合される。
【００１８】    以上の実施の形態は、包装袋が長方形状であるが、このような形状に限らず、他の縦横比の矩形形状や合掌製袋、ガセット製袋されたもの、外形が曲線形状のものも同様に実施することができる。また、ミシン目の形状として直線状のものとハの字形状のものの例を示したが、いずれか一方のみであってもよい。
さらに、袋を形成する包装フィルムはＯＰＰ２０μｍとＣＰＰ３０μｍを接合したフィルムを用いる例を示したが、包装フィルムの構造はこのような材質や厚さの比率のものでなくても同様に実施することができる。包装フィルムの接合をヒートシールで行う例を示したが、接着剤を用いて接合してもよい。
【産業上の利用可能性】
【００１９】  文房具などの商品をフィルムで包装する包装袋である。
【符号の説明】
【００２０】１    包装袋
１ａ  表包装フィルム
１ｂ  裏包装フィルム
２，２４  頭部ヒートシール部
２ａ，２４ａ，２４ｄ  境界
３，４，２５，２６  側ヒートシール部
５，２６  収容部
６  物品挿入開口
７，２９  孔
８  ノッチ
８ａ  ミシン目
８ｂ  ハの字ミシン目
８ｃ  引き裂き停止線
９ａ，９ｂ  開封方向表示矢印
１０  ＯＰＰ（延伸ポリプロピレン）
１１  ＣＰＰ（無延伸ポリプロピレン）
１２  印刷層（インキ）
１３  接着剤層
２０  ボールペン
２１  ノック部
２２  クリップ
２３  ボールペン先
２４ａ，２４ｂ，２４ｃ  袋上部
２７  底ヒートシール部
２８  開口部
【図１】
2012192973.tif 000003
【図２】
2012192973.tif 000004
【図３】
2012192973.tif 000005
【図４】
2012192973.tif 000006
【図５】
2012192973.tif 000007